(57)【要約】      （修正有）【課題】簡便かつ経済的に箱の中身を抜き取る盗難を防止する盗難防止装置及びその盗難防止装置に用いられるアタッチメントを提供する。【解決手段】第１方向結束ベルト２１及び第２方向結束ベルト２２を箱１０に巻く盗難防止装置１において、交差位置に取り付けられるアタッチメント３は、防犯タグ３１を収容する防犯タグ収容部３２を備える。交差位置において、第１方向結束ベルト２１と第２方向結束ベルト２２とによって防犯タグ３１が挟まれ、交差位置における第１方向結束ベルト２１及び第２方向結束ベルト２２が伸張した状態では防犯タグ３１が警報を発しない状態となり、交差位置における第１方向結束ベルト２１又は第２方向結束ベルト２２のうち少なくとも一方がたるんだ状態では防犯タグ３１が警報を発する状態となる。【選択図】図１
2019128636.tif 000002
【特許請求の範囲】
【請求項１】
結束ベルトを第１方向と第２方向とに交差させて箱に巻くことによって前記箱の内部の商品の抜き取りを防止する盗難防止装置であって、
前記結束ベルトの交差位置に取り付けられるアタッチメントを備え、
前記アタッチメントは、防犯タグを収容する防犯タグ収容部を備え、
前記交差位置において、前記第１方向に延在する結束ベルトと前記第２方向に延在する結束ベルトとによって前記防犯タグが挟まれ、
前記交差位置における前記第１方向に延在する結束ベルト及び前記第２方向に延在する結束ベルトが伸張した状態では前記防犯タグが警報を発しない状態となり、
前記交差位置における前記第１方向に延在する結束ベルト又は前記第２方向に延在する結束ベルトのうち少なくとも一方がたるんだ状態では前記防犯タグが警報を発する状態となる
盗難防止装置。
【請求項２】
前記防犯タグは、前記防犯タグ収容部に支持される本体部と、前記本体部から突出する方向に付勢された検出スイッチとを備え、
前記アタッチメントには、前記検出スイッチを突出可能とする貫通孔を備え、
前記交差位置における前記第１方向に延在する結束ベルト及び前記第２方向に延在する結束ベルトが伸張した状態では前記検出スイッチが没入して前記防犯タグが警報を発しない状態となり、前記交差位置における前記第１方向に延在する結束ベルト又は前記第２方向に延在する結束ベルトがたるんだ状態では前記検出スイッチが突出して前記防犯タグが警報を発する状態となる
請求項１に記載の盗難防止装置。
【請求項３】
前記アタッチメントの前記第２方向の両端部には、前記第２方向に延在する結束ベルトを下方から支持する一対の第２方向支持部を備え、
前記一対の第２方向支持部は、前記防犯タグ収容部の下端より高い位置に位置する
請求項１又は２のいずれか１項に記載の盗難防止装置。
【請求項４】
前記アタッチメントには、前記第２方向に延在する結束ベルトを下方に付勢する付勢部材を備える
請求項１、２又は３のいずれか１項に記載の盗難防止装置。
【請求項５】
前記アタッチメントは、前記第１方向に延在する結束ベルトを上方から覆うカバー部材を備え、前記第１方向に延在する結束ベルトの上面と前記カバー部材の下面との間には隙間が形成される
請求項１、２、３又は４のいずれか１項に記載の盗難防止装置。
【請求項６】
結束ベルトを第１方向と第２方向とに交差させて箱に巻くことによって前記箱の内部の商品の抜き取りを防止する盗難防止装置において、前記第１方向の結束ベルトと前記第２方向に結束ベルトとの交差位置に取り付けられるアタッチメントであって、
防犯タグを収容する防犯タグ収容部と、
前記防犯タグ収容部に形成された貫通孔と
を備え
前記防犯タグ収容部に収容された防犯タグの上方の第１方向の結束ベルトと、前記第２方向の結束ベルトとの間に前記防犯タグを位置させることを可能とする
アタッチメント。
【請求項７】
前記防犯タグが、前記防犯タグ収容部に支持される本体部と、前記本体部から突出する方向に付勢された検出スイッチとを備える場合は、
前記貫通孔は、前記検出スイッチを突出可能とする
請求項６に記載のアタッチメント。
【請求項８】
前記第２方向に延在する結束ベルトを下方から支持する一対の第２方向支持部を備え、
前記一対の第２方向支持部は、前記防犯タグ収容部の下端より高い位置に位置する
請求項６又は７のいずれか１項に記載のアタッチメント。
【請求項９】
前記第２方向に延在する結束ベルトを下方に付勢する付勢部材を備える
請求項６、７又は８のいずれか１項に記載のアタッチメント。
【請求項１０】
前記第１方向に延在する結束ベルトを上方から覆うカバー部材を備え、前記第１方向に延在する結束ベルトの上面と前記カバー部材の下面との間には隙間が形成される
請求項６、７、８又は９のいずれか１項に記載のアタッチメント。
【発明の詳細な説明】
【技術分野】
【０００１】
本発明は、箱に収容された商品を箱の中から取り出して持ち去る盗難を防止する盗難防止装置及びその盗難防止装置に用いられるアタッチメントに関する。
【背景技術】
【０００２】
例えば家電製品等の箱に入った状態で陳列される商品については、箱を開けて中身の商品本体のみを持ち去る盗難が存在する。このような盗難を防止するための装置として、例えばスパイダーラップ、ホークグリップなどと称されるワイヤー型の盗難防止装置が使用されている（例えば、非特許文献１参照）。これらの装置は、商品パッケージをワイヤーで包み込むようにして取り付けて使用されるものであり、ワイヤーを切ったり専用の解除装置を用いずに取り外したりした場合に、装置が警報を鳴らすことにより、商品本体の箱からの抜き取りを防止している。また、箱ごと持ち去ろうとした場合は。店内のゲートからの電波を受けて装置が警報を鳴らすことにより、箱ごとの持ち去りも防いでいる。
【先行技術文献】
【非特許文献】
【０００３】
【非特許文献１】（URL: http://www.oes.ne.jp/tag/data/spiderwrap.pdf）
【発明の概要】
【発明が解決しようとする課題】
【０００４】
しかし、上記のようなワイヤー型の盗難防止装置は、取り付けに手間がかかる上に、専用の装置であるため、コストが嵩むという問題もある。
【０００５】
本発明は、このような問題にかんがみなされたもので、簡便かつ経済的に箱の中身の抜き取る盗難を防止することを目的とする。
【課題を解決するための手段】
【０００６】
本発明は、結束ベルトを第１方向と第２方向とに交差させて箱に巻くことによって前記箱の内部の商品の抜き取りを防止する盗難防止装置であって、前記結束ベルトの交差位置に取り付けられるアタッチメントを備え、前記アタッチメントは、防犯タグを収容する防犯タグ収容部を備え、前記交差位置において、前記第１方向に延在する結束ベルトと前記第２方向に延在する結束ベルトとによって前記防犯タグが挟まれ、前記交差位置における前記第１方向に延在する結束ベルト及び前記第２方向に延在する結束ベルトが伸張した状態では前記防犯タグが警報を発しない状態となり、前記交差位置における前記第１方向に延在する結束ベルト又は前記第２方向に延在する結束ベルトのうち少なくとも一方がたるんだ状態では前記防犯タグが警報を発する状態となるように構成される。
【０００７】
前記防犯タグは、前記防犯タグ収容部に支持される本体部と、前記本体部から突出する方向に付勢された検出スイッチとを備え、前記アタッチメントには、前記検出スイッチを突出可能とする貫通孔を備え、前記交差位置における前記第１方向に延在する結束ベルト及び前記第２方向に延在する結束ベルトが伸張した状態では前記検出スイッチが没入して前記防犯タグが警報を発しない状態となり、前記交差位置における前記第１方向に延在する結束ベルト又は前記第２方向に延在する結束ベルトがたるんだ状態では前記検出スイッチが突出して前記防犯タグが警報を発する状態となることが好ましい。
前記アタッチメントの前記第２方向の両端部には、前記第２方向に延在する結束ベルトを下方から支持する一対の第２方向支持部を備え、前記一対の第２方向支持部は、前記防犯タグ収容部の下端より高い位置に位置することが好ましい。
前記アタッチメントには、前記第２方向に延在する結束ベルトを下方に付勢する付勢部材を備えることが好ましい。
前記アタッチメントは、前記第１方向に延在する結束ベルトを上方から覆うカバー部材を備え、前記第１方向に延在する結束ベルトの上面と前記カバー部材の下面との間には隙間が形成されることが好ましい。
【０００８】
また、本発明は、結束ベルトを第１方向と第２方向とに交差させて箱に巻くことによって前記箱の内部の商品の抜き取りを防止する盗難防止装置において、前記第１方向の結束ベルトと前記第２方向に結束ベルトとの交差位置に取り付けられるアタッチメントであって、防犯タグを収容する防犯タグ収容部と、前記防犯タグ収容部に形成された貫通孔と
を備え前記防犯タグ収容部に収容された防犯タグの上方の第１方向の結束ベルトと、前記第２方向の結束ベルトとの間に前記防犯タグを位置させることを可能とするように構成される。
【０００９】
前記防犯タグが、前記防犯タグ収容部に支持される本体部と、前記本体部から突出する方向に付勢された検出スイッチとを備える場合は、前記貫通孔は、前記検出スイッチを突出可能とすることが好ましい。
前記第２方向に延在する結束ベルトを下方から支持する一対の第２方向支持部を備え、前記一対の第２方向支持部は、前記防犯タグ収容部の下端より高い位置に位置することが好ましい。
前記第２方向に延在する結束ベルトを下方に付勢する付勢部材を備えることが好ましい。
前記第１方向に延在する結束ベルトを上方から覆うカバー部材を備え、前記第１方向に延在する結束ベルトの上面と前記カバー部材の下面との間には隙間が形成されることが好ましい。
【発明の効果】
【００１０】
本発明では、第１方向と第２方向とに交差させて巻いた結束ベルトのいずれかが切断されたりたるんだりすると、防犯タグが警報を行うため、既存の結束ベルトを用いて盗難を防止することができ、コストを低減することができる。また、結束ベルトが交差する位置にアタッチメントを取り付け、アタッチメントの防犯タグ収容部に防犯タグを収容するだけで済むため、箱への取り付けも簡単である。
【００１１】
防犯タグが、本体部から突出する方向に付勢された検出スイッチであると、第１方向に延在する結束ベルトが切断されたりたるんだりすると付勢力によって防犯タグ全体が浮き上がり、第２方向に延在する結束ベルトが切断されたりたるんだりすると付勢力によって検出スイッチが突出するため、確実に警報を行うことができる。
【００１２】
第２方向支持部が防犯タグ収容部の下端と同じ高さにあると、第２方向に延在する結束ベルトがたるみにくいが、第２方向支持部が防犯タグ収容部の下端より高い位置に位置する構成とすることにより、第２方向の結束ベルトがたるみやすいため、少しのたるみでも確実に警報を行うことができる。
【００１３】
第２方向に延在する結束ベルトを下方に付勢する付勢部材をアタッチメントに備えることにより、第２方向に延在する結束ベルトがたるむと付勢部材がさらに下方に押し出すため、確実に警報を行うことができる。
【００１４】
アタッチメントに、第１方向に延在する結束ベルトを上方から覆うカバー部材を備え、第１方向に延在する結束ベルトの上面とカバー部材の下面との間に隙間が形成される構成とすることにより、アタッチメントの取り付けの際の第１方向に延在する結束ベルトの取り扱いが容易となるとともに、アタッチメントを取り外す際にも第１方向に延在する結束ベルトが散乱するのを防ぐことができる。
【図面の簡単な説明】
【００１５】
【図１】第１実施形態の盗難防止装置の上面側を示す斜視図である。
【図２】防犯タグの例を示す正面図である。
【図３】第１実施形態のアタッチメントの上面側を示す斜視図である。
【図４】第１実施形態のアタッチメントの下面側を示す斜視図である。
【図５】第２方向の結束ベルトを通した状態の第１実施形態のアタッチメントの下面側を示す斜視図である。
【図６】第２方向の結束ベルトがたるんだ第１実施形態のアタッチメントの下面側を示す斜視図である。
【図７】（ａ）は、第１実施形態の盗難防止装置において第１方向及び第２方向の結束ベルトが伸張した状態を示す断面図であり、（ｂ）は、第１実施形態の盗難防止装置において第１方向の結束ベルトがたるんだ状態を示す断面図である。
【図８】（ａ）は、第１実施形態の盗難防止装置において第１方向及び第２方向の結束ベルトが伸張した状態を示す断面図であり、（ｂ）は、第１実施形態の盗難防止装置において第２方向の結束ベルトがたるんだ状態を示す断面図である。
【図９】第２実施形態の盗難防止装置の上面側を示す斜視図である。
【図１０】第２実施形態のアタッチメントの上面側を示す斜視図である。
【図１１】第２実施形態のアタッチメントの下面側を示す斜視図である。
【図１２】（ａ）は、第２実施形態の盗難防止装置において第１方向及び第２方向の結束ベルトが伸張した状態を示す断面図であり、（ｂ）は、第２実施形態の盗難防止装置において第１方向の結束ベルトがたるんだ状態を示す断面図である。
【図１３】（ａ）は、第２実施形態の盗難防止装置において第１方向及び第２方向の結束ベルトが伸張した状態を示す断面図であり、（ｂ）は、第２実施形態の盗難防止装置において第２方向の結束ベルトがたるんだ状態を示す断面図である。
【発明を実施するための形態】
【００１６】
１  第１実施形態
図１に示す盗難防止装置１は、箱１０の外側に、第１方向に延在する第１方向結束ベルト２１及び第２方向に延在する第２方向結束ベルト２２を少なくとも一箇所において交差するように巻き、その交差位置に防犯タグ３１を収容したアタッチメント３を取り付けることによって、箱１０の内部の商品の抜き取りを防止するものである。また、第１方向結束ベルト２１、第２方向結束ベルト２２のいずれかが切断されたり弛んだりすると、防犯タグ３１が警報を鳴らすことにより、盗難を知らせることができる。ここで、第１方向結束ベルト２１及び第２方向結束ベルト２２は、平たい形状のものが好ましく、例えば商品の梱包時に使用されているＰＰ（ポリプロピレン）ベルトと呼ばれるものを使用することができるが、これに限定されるものではない。ＰＰベルトのような既存のものを使用すれば、新たなコストが生じるのを回避することができる。
【００１７】
アタッチメント３の上面３ａ側には、防犯タグ３１を収容する防犯タグ収容部３２が形成されている。図２に示すように、防犯タグ３１は、防犯タグ収容部３２に支持される本体部３１１と、本体部３１１から突出する方向に付勢された検出スイッチ３１２とを備えている。検出スイッチ３１２は、突出した状態では警報を鳴らす。本体部３１１は、下方にいくにつれて側面３１１ａが広がる形状となっており、その側面３１１ａが図１に示した防犯タグ収容部３２に対して遊嵌した状態で収容される。
【００１８】
図３に示すように、アタッチメント３の上面３ａ側における第１方向の両端部には、第１方向結束ベルト２１を支持する一対の第１方向支持部３３が形成されている。第１方向支持部３３は、上面３３ａから下方に陥没して形成されており、第１方向結束ベルト２１の幅以上の幅を有している。第１方向支持部３３は、第１方向結束ベルト２１を巻く際のガイドとしての役割も有する。
【００１９】
アタッチメント３の第２方向の両端部には、第２方向結束ベルト２２を下方から支持する一対の第２方向支持部３４が形成されている。第２方向支持部３４は、上面３ａから下方に陥没した位置に形成されており、第１方向支持部３３よりも低い位置に形成されている。第２方向支持部３４は、図示の例では平面状に形成されているが、この形状には限定されない。
【００２０】
また、第２方向支持部３４の第２方向斜め上方には、アタッチメント３の下面側に突出する押さえ部３４２を備えている。一方の第２方向支持部３４と押さえ部３４２との間から他方の第２方向支持部３４と押さえ部３４２との間までに第２方向結束ベルト２２を通すことにより、第２方向結束ベルト２２がアタッチメント３に取り付けられる。
【００２１】
図３及び図４に示すように、防犯タグ収容部３２の下部には、上下方向に貫通する貫通孔３２１が形成されている。この貫通孔３２１には、図２に示した防犯タグ３１の検出スイッチ３１２を収容することができ、検出スイッチ３１２を下方に突出可能としている。また、図４に示すように、防犯タグ収容部３２の下部には、一対の板バネ３５を備えている。この一対の板バネ３５は、第２方向支持部３４によって支持された第２方向結束ベルト２２を下方に向けて付勢する付勢部材であり、図５に示すように、第２方向結束ベルト２２がピンと張って伸張した状態では、板バネ３５が上方に押し付けられている。一方、第２方向結束ベルト２２に弛みが生じると、図６に示すように、板バネ３５によって第２方向結束ベルト２２がさらに下方に押される。なお、板バネ３５は、１つのみを配設した構成としてもよい。
【００２２】
図７（ａ）及び図８（ａ）に示すように、第１方向結束ベルト２１と第２方向結束ベルト２２とは、上下方向に離れた状態で交差しており、第１方向結束ベルト２１と第２方向結束ベルト２２とによって防犯タグ３１が挟まれた状態となっている。そして、第１方向結束ベルト２１と第２方向結束ベルト２２とがともにピンと張った状態になっていると、検出スイッチ３１２は本体部３１１側に没入して警報を発しない状態となっている。図７（ａ）に示すように、第２方向結束ベルト２２がピンと張った状態では、検出スイッチ３１２が下方に突出するのを第２方向結束ベルト２２が阻止している。このとき、図８（ａ）に示すように、第２方向支持部３４が防犯タグ収容部３２の下面である下端３２２よりも高い位置にあり、第２方向結束ベルト２２のうち、アタッチメント３の内部に位置する部分は、アタッチメント３の外側に位置する部分よりも若干下がった状態となっている。
【００２３】
図７（ｂ）に示すように、第１方向結束ベルト２１がたるむと、防犯タグ３１が上方から押さえつけられた状態が解除されるため、検出スイッチ３１２の弾性によって防犯タグ３１全体が浮き上がり、検出スイッチ３１２が突出して警報を発する状態となる。特に、本体部３１１が下方にいくにつれて側面３１１ａが広がる形状となっているとともに、その側面３１１ａが防犯タグ収容部３２に対して遊嵌した状態で収容されているため、第１方向結束ベルト２１によって防犯タグ３１が上方から押さえつけられた状態が解除されたときに、防犯タグ３１全体が浮き上がりやすく、確実に警報を行うことができる。
【００２４】
また、図８（ｂ）に示すように、第２方向結束ベルト２２がたるむと、検出スイッチ３１２が突出して警報を発する状態となる。第２方向支持部３４は、防犯タグ収容部３２の下端３２２よりも高い位置にあり、第２方向結束ベルト２２は、図８（ａ）に示したようにピンと張った状態においてもアタッチメント３の内部において若干下がった状態となっているため、たるみが生じやすい。また、板バネ３５の作用によって第２方向結束ベルト２２がさらに下方にたわむ。したがって、わずかなたるみが生じた場合でも確実に警報を発することができる。
【００２５】
以上のように、盗難防止装置１では、第１方向結束ベルト２１、第２方向結束ベルト２２のいずれがたるんでも検出スイッチ３１２が突出して警報を発する状態となるため、箱１０の中の商品の盗難を確実に防止することができる。
【００２６】
２  第２実施形態
図９に示す盗難防止装置４は、アタッチメント５の上面５ａに第１方向結束ベルト２１を上方から覆うカバー部材５１が形成されている点が、第１実施形態の盗難防止装置１とは異なっている。なお、第１実施形態の盗難防止装置１と同様に構成される部位については同一の符号を付し、その説明は省略する。
【００２７】
図１０に示すように、カバー部材５１の第１方向の両端部には、第１方向結束ベルト２１を通すための窓部５２が形成されている。
【００２８】
図１１に示すように、カバー部材５１の裏側には、図２に示した防犯タグ３１を収容する防犯タグ収容部５３が形成されている。防犯タグ収容部５３の下部には、貫通孔５３１を備えており、防犯タグ収容部５３に対する防犯タグ３１の収容は、貫通孔５３１を通して行う。防犯タグ収容部５３の下端５３２は、第２方向支持部３４よりも低い位置にある。
【００２９】
図１２（ａ）に示すように、一方の窓部５２から第１方向結束ベルト２１を挿入して他方の窓部５２からその第１方向結束ベルト２１を取り出しピンと張った状態に伸張させると、第１方向結束ベルト２１は、防犯タグ３１の本体部３１１の上面にならった状態となる。そして、第１方向結束ベルト２１とカバー部材５１の下面５１ａとの間には隙間５１１が形成される。また、第２方向結束ベルト２２もピンと張った状態とすると、検出スイッチ３１２が本体部３１１側に没入して警報を発しない状態となる。
【００３０】
この状態から、図１２（ｂ）に示すように、第１方向結束ベルト２１がたるむと、第１方向結束ベルト２１が防犯タグ３１を押さえつける力が解除されるため、検出スイッチ３１２の弾性によって防犯タグ３１が浮き上がり、検出スイッチ３１２が突出して警報を発する。アタッチメント５にはカバー部材５１が形成されているため、人力によって第１方向結束ベルト２１を上から押さえつけることができない。したがって、第１方向結束ベルト２１を押さえつけて切断するといった不正が不可能となり、確実に警報を鳴らすことができる。
【００３１】
図１３（ａ）に示すように、第１方向結束ベルト２１が防犯タグ３１の本体部３１１の上面にならった状態となり、かつ、第２方向結束ベルト２２もピンと張った状態となり、検出スイッチ３１２が本体部３１１側に没入して警報を発しない状態では、第２方向支持部３４が防犯タグ収容部５３の下端５３２よりも高い位置にあるため、第２方向結束ベルト２２のうち、アタッチメント５の内部に位置する部分は、アタッチメント５の外側に位置する部分よりも若干下がった状態となっている。
【００３２】
この状態から、図１３（ｂ）に示すように、第２方向結束ベルト２２がたるむと、検出スイッチ３１２が突出し、防犯タグ３１が警報を発する。第２方向支持部３４は、防犯タグ収容部５３の下端５３２よりも高い位置にあり、第２方向結束ベルト２２は、ピンと張った状態においてもアタッチメント５の内部において若干下がった状態となっているため、たるみが生じやすい。したがって、わずかなたるみでも確実に警報を発することができる。
【００３３】
以上のように、第２実施形態の盗難防止装置４においても、第１方向結束ベルト２１、第２方向結束ベルト２２のいずれがたるんでも検出スイッチ３１２が突出して警報を発するため、箱１０の中の商品の盗難を確実に防止することができる。また、アタッチメント５にカバー部材５１を備え、第１方向結束ベルト２１の上面とカバー部材５１の下面５１ａとの間には隙間５１１が形成されているため、アタッチメント５の取り付けの際に隙間５１１がガイドとなって第１方向結束ベルト２１を一方の窓部５２から他方の窓部５２に通しやすいとともに、アタッチメント５を取り外す際にも隙間５１１がガイドとなって第１方向結束ベルト２１が散乱するのを防ぐことができ、アタッチメント５の着脱が容易となる。
【００３４】
なお、上記第１実施形態及び第２実施形態では、防犯タグ３１の下面に出没式の検出スイッチ３１２を備えることとしたが、上面と下面の両方に検出スイッチ３１２を備える防犯タグを用いてもよい。
【００３５】
また、上記第１実施形態及び第２実施形態の防犯タグ３１は、出没式の検出スイッチ３１２を備えることとしたが、検出スイッチに代えて、例えば光センサを用いてもよい。例えば、防犯タグの上面及び下面に光センサを備え、両光センサと第１方向結束ベルト又は第２方向結束ベルト２２との距離が所定の距離を超えたときに警報状態とするように光センサを設定しておくことにより、第１方向結束ベルト又は第２方向結束ベルト２２がたるんだり切断されたりしたときに、確実に警報を行うことができる。
【００３６】
上記第１実施形態及び第２実施形態では、第１方向結束ベルト２１と第２方向結束ベルト２２とが別々のものとしたが、結束ベルトは、第１方向結束ベルトと第２方向結束ベルトとが１本の連続したものであってもよい。また、第１方向と第２方向とがなす角度は箱の形状等に応じて変化させることが可能であり、直交していなくてもよい。
【符号の説明】
【００３７】
１：盗難防止装置  １０：箱
２１：第１方向結束ベルト  ２２：第２方向結束ベルト
３：アタッチメント
３１：防犯タグ  ３１１：本体部  ３１２：検出スイッチ
３２：防犯タグ収容部  ３２１：貫通孔  ３２２：下端
３３：第１方向支持部
３４：第２方向支持部  ３４２：押さえ部
３５：板バネ
５：アタッチメント
５１：カバー部材  ５１１：隙間  ５２：窓部
５３：防犯タグ収容部  ５３１：貫通孔  ５３２：下端
【図１】
2019128636.tif 000003
【図２】
2019128636.tif 000004
【図３】
2019128636.tif 000005
【図４】
2019128636.tif 000006
【図５】
2019128636.tif 000007
【図６】
2019128636.tif 000008
【図７】
2019128636.tif 000009
【図８】
2019128636.tif 000010
【図９】
2019128636.tif 000011
【図１０】
2019128636.tif 000012
【図１１】
2019128636.tif 000013
【図１２】
2019128636.tif 000014
【図１３】
2019128636.tif 000015